(57)【要約】本発明は、偽造防止文書であって、表面と、裏面と、明るい背景に対して見られたときに第一の画像情報を表示する穿孔パターンを含む第一セキュリティ特徴物と、パターンであって、光がパターンに当たって反射するときに第二の画像情報を表示するパターンを含む第二のセキュリティ特徴物とを含み、偽造防止文書上に表示される第一の画像情報及び第二の画像情報は、相互に対応し、表面は、第二のセキュリティ特徴物を含み、裏面は、第二のセキュリティ特徴物を含み、裏面の第二の画像情報は、表面の第二の画像情報の鏡像画像情報である、偽造防止文書に関する。
2021533013.tif 000002
【特許請求の範囲】
【請求項１】
表面と、
裏面と、
明るい背景に対して見られたときに第一の画像情報を表示する穿孔パターンを含む第一のセキュリティ特徴物と、
パターンを含む第二のセキュリティ特徴物であって、該パターンは、光が前記パターンに当たって反射するときに第二の画像情報を表示する、第二のセキュリティ特徴物と
を備える偽造防止文書であって、
前記偽造防止文書上に表示される前記第一の画像情報及び前記第二の画像情報は、相互に対応する、偽造防止文書において、
前記表面は、前記第二のセキュリティ特徴物を含み、
前記裏面は、前記第二のセキュリティ特徴物を含み、
前記裏面の前記第二の画像情報は、前記表面の前記第二の画像情報の鏡像画像情報であることを特徴とする偽造防止文書。
【請求項２】
前記第二のセキュリティ特徴物は、彫刻パターンであって、光が前記彫刻パターンに当たって反射するときに第二の画像情報を表示する彫刻パターンを含むことと、
前記第二のセキュリティ特徴物は、インクジェット印刷パターンであって、光が前記印刷パターンに当たって反射するときに第二の画像情報を表示するインクジェット印刷パターンを含むことと、
前記第二のセキュリティ特徴物は、レーザ印刷パターンであって、光が前記印刷パターンに当たって反射するときに第二の画像情報を表示するレーザ印刷パターンを含むことと
のうち少なくとも１つを備えることを特徴とする、請求項１に記載の偽造防止文書。
【請求項３】
前記裏面において、前記第二のセキュリティ特徴物によって表される前記第二の画像情報は、前記第一のセキュリティ特徴物によって表される前記第一の画像情報と同一であることを特徴とする、請求項１又は２に記載の偽造防止文書。
【請求項４】
前記裏面において、前記対応するセキュリティ特徴物の前記第一及び第二の画像情報は一致することを特徴とする、請求項１〜３の何れか一項に記載の偽造防止文書。
【請求項５】
前記表面において、前記第二のセキュリティ特徴物によって表される前記第二の画像情報は、前記裏面上の前記第二の画像情報に対応することを特徴とする、請求項１〜４の何れか一項に記載の偽造防止文書。
【請求項６】
前記表面において、前記対応するセキュリティ特徴物の前記第一及び第二の画像情報は一致し、
好ましくは、前記表面の前記第二の画像情報は、前記裏面の前記第二の画像情報及び前記偽造防止文書の前記第一の画像情報と一致することを特徴とする、請求項１〜５の何れか一項に記載の偽造防止文書。
【請求項７】
前記表面の前記第二の画像情報は、前記文書上において、前記裏面の前記第二の画像情報より大きいサイズ又は小さいサイズを含み、
好ましくは、前記裏面の前記第二の画像情報のサイズ及び前記第一の画像情報のサイズは、同一であることを特徴とする、請求項１〜６の何れか一項に記載の偽造防止文書。
【請求項８】
前記表面は、第一の印刷技術のパターンを有する前記第二のセキュリティ特徴物を含み、
前記裏面は、第二の印刷技術のパターンを有する前記第二のセキュリティ特徴物を含み、
前記第二のセキュリティ特徴物の前記パターンは、光が前記パターンに当たって反射するときに第二の画像情報を表示し、
前記偽造防止文書は、
ａ．明るい背景に対して見られたときに第一の画像情報を表示する穿孔パターンを有する第一のセキュリティ特徴物と、
ｂ．前記表面上に第一の印刷技術によって製作される前記第二の画像情報と、
ｃ．前記裏面上に第二の印刷技術によって製作される前記第二の画像情報と
を備え、
前記第二の画像情報は、前記第一の画像情報に対応し、
前記裏面の前記第二の画像情報は、前記表面の前記第二の画像情報の前記ミラー画像情報であることを特徴とする、請求項１〜７の何れか一項に記載の偽造防止文書。
【請求項９】
前記第一及び第二の印刷技術は、相互に異なり、
好ましくは、前記第一の印刷技術は、レーザ彫刻、インクジェット印刷又はレーザ印刷を含み、
好ましくは、前記第二の印刷技術は、レーザ彫刻、インクジェット印刷又はレーザ印刷を含み、
好ましくは、前記第一の印刷技術は、レーザ彫刻を含み、及び前記第二の印刷技術は、インクジェット印刷又はレーザ印刷を含むことを特徴とする、請求項８に記載の偽造防止文書。
【請求項１０】
穿孔パターンの形態の前記第一のセキュリティ特徴物は、明るい背景に対して見られたときにグレイトーンを表示し、
好ましくは、前記文書は、光を限定的に透過させる材料から製造され、好ましくは、前記穿孔パターンの一部を形成する穿孔の少なくとも幾つかは、前記穿孔の位置における前記文書の厚さの一部のみにわたって延び、好ましくは、前記穿孔の前記位置における前記文書の残りの部分の厚さは、表示される画像に従って調整されることを特徴とする、請求項１〜９の何れか一項に記載の偽造防止文書。
【請求項１１】
前記穿孔パターンの一部を形成する前記穿孔の少なくとも幾つかは、前記文書の主平面に対して、９０°と異なる角度で延びることと、
好ましくは、前記穿孔の前記角度は、濃淡値調整を有する第一の画像情報を取得するように調整されることと、
好ましくは、前記第一のセキュリティ特徴物の前記穿孔の密度又は直径は、前記第一の画像情報を生成するために調整されることと
のうち少なくとも１つを備えることを特徴とする、請求項１〜１０の何れか一項に記載の偽造防止文書。
【請求項１２】
前記第一のセキュリティ特徴物は、画像を表すことと、
前記第二のセキュリティ特徴物は、画像を表すことと
のうちすくなくとも１つを備えることを特徴とする、請求項１〜１１の何れか一項に記載の偽造防止文書。
【請求項１３】
材料が、前記第一のセキュリティ特徴物の前記穿孔内に配置されることと、
好ましくは、前記材料は、ＵＶ光下で光るインクによって形成されることと、
好ましくは、蒸着された金属層は、前記穿孔内に配置されることと
のうち少なくとも１つを備えることを特徴とする、請求項１〜１２の何れか一項に記載の偽造防止文書。
【請求項１４】
異なって着色された材料層を含み、前記穿孔の深さに応じた色が見えることと、
好ましくは、前記文書は、プラスチック積層体から製造され、及びコア層は、他の層と異なる色を有することと
のうち少なくとも１つを備えることを特徴とする、請求項１〜１３の何れか一項に記載の偽造防止文書。
【請求項１５】
前記第一のセキュリティ特徴物の前記穿孔パターンは、密度又はサイズにおいて調整された穿孔をさらに提供されることと、
好ましくは、前記第一のセキュリティ特徴物の前記穿孔パターンは、前記穿孔パターンの残りの部分と異なる穿孔パターンを局所的に提供されることと、
好ましくは、前記第一のセキュリティ特徴物の前記穿孔パターンは、見ている位置から観察者に対して立体画像を提示するように適応されることと、
好ましくは、前記第一のセキュリティ特徴物の前記穿孔パターンは、見る角度によって異なる画像を使用者に対して提示するように適応されることと、
好ましくは、前記文書の前記主平面に対する前記穿孔の前記角度は、前記穿孔パターンの中心までの距離が増大するにつれて増大することと、
好ましくは、前記穿孔パターンの横断面は、非円形であることと
のうち少なくとも１つを備えることを特徴とする、請求項１〜１４の何れか一項に記載の偽造防止文書。
【発明の詳細な説明】
【技術分野】
【０００１】
本発明は、偽造防止文書に関する。
【背景技術】
【０００２】
このような偽造防止文書は、例えば、透かし等を有する紙幣又は身分証明カードとして知られている。
さらに、既知の偽造防止文書は、パスポート又は紙幣等の文書の片面に適用されるセキュリティホログラムを含む。
【０００３】
先行技術は、偽造に対する良好なセキュリティを提供するが、偽造者の技術的能力に鑑みて、新しいセキュリティ機能を開発することが重要である。
【発明の概要】
【発明が解決しようとする課題】
【０００４】
したがって、本発明の目的は、偽造及び模造に対する安全性を高めるセキュリティ機能を有し、パスポート又はチケット等の文書の複製を複雑にする偽造防止文書を提供することである。
【課題を解決するための手段】
【０００５】
上記の目的を解決するために以下の説明が使用され得る。
本発明のある態様によれば、本発明の偽造防止文書は、表面と裏面とを含む。
一般に、本発明の偽造防止文書は、バッジ、ＩＤカード、パスポートのデータページカード或いはサッカーの試合のチケット又は運転免許証若しくは住民カード等、偽造防止機能を備えているべき他のあらゆる種類の文書であり得る。
【０００６】
好ましくは、偽造防止文書は、明るい背景に対して見られたときに第一の画像情報を表示する穿孔パターンを含む第一のセキュリティ特徴物を含む。このような穿孔パターンは、好ましくは、レーザ光によって適用される。この方法には、穿孔位置で材料、例えば紙、プラスチック又は布等が完全に除去されて、例えば指先で文書を擦っても隆起部若しくは溝又はばりが感じられないという利点がある。例えば、穿孔パターンが円錐形の針等を用いた偽造によって適用された場合、椀状のエッジ又はばりが必ずでき、これは、指先で容易に感じ取られる。したがって、これは、偽造の可能性を識別するための良好な手段を提供する。
【０００７】
さらに、偽造防止文書は、パターンであって、光がパターンに当たって反射するときに第二の画像情報を表示するパターンを含む第二のセキュリティ特徴物を含むことが好ましい。このようなセキュリティ特徴物は、例えば、レーザを用いて物体を彫刻する行為であるレーザ彫刻又はインクジェット印刷若しくはレーザ印刷によって製作できる。
【０００８】
有利には、偽造防止文書上に表示される第一の画像情報及び第二の画像情報は、相互に対応する。したがって、裏面及び表面に対応する情報を適用でき、これにより例えば偽造防止文書の真偽を検証しやすくなる。これに関して、例えば、入国管理職員又はある人物にとって、このような偽造防止文書の有効性を確認することがより容易になり、同時に偽造者にとって複製がより困難である。
【０００９】
さらに、表面は、第二のセキュリティ特徴物を含み、好ましくは、裏面も第二のセキュリティ特徴物を含むことが有利である。したがって、偽造防止文書は、好ましくは、表面及び裏面において見える第一のセキュリティ特徴物（穿孔パターン）並びに第二のセキュリティ特徴物を有する表面及び同じく第二の特徴物を有する裏面を含む。
【００１０】
さらに、裏面の第二の画像情報は、表面の第二の画像情報のミラー画像情報及び鏡像画像情報であることが好ましい。
したがって、本発明の偽造防止文書を光にかざし、それにより例えば昼光又は光源の光が穿孔パターンを通して輝き得る場合、表面から見る人には、２つの画像及び画像情報、すなわち第一及び第二の画像情報が見える。表面では、第一及び第二の画像は、相互に対応し、例えばある人物のパスポート写真を表す。
【００１１】
さらに、本発明の偽造防止文書を光にかざし、それにより例えば昼光又は光源の光が穿孔パターンを通して輝き得る場合、裏面を見る人にも同じく２つの画像及び画像情報、すなわち第一及び第二の画像情報が見える。裏面では、第一及び第二の画像情報は、同一であり、且つ例えば同じくある人物のパスポート写真を表す。
【００１２】
しかしながら、表面及び裏面の第二の画像情報及び画像は、異なる。したがって、裏面の画像情報は、表面の画像情報と比較して鏡像反転される。
以上を要約すれば、偽造防止文書の裏面を見ると、第一のセキュリティ特徴物の第一の画像情報が見え、表面を見た場合も同じである。
【００１３】
しかしながら、第一のセキュリティ特徴物は、その穿孔を有する偽造防止文書を部分的に且つ／又は完全に貫通することから、裏面で見える第一の画像情報は、表面で見える第一の画像情報の鏡像画像情報である。
【００１４】
したがって、ある人が見ることのできる裏面上の画像情報は、すべてある人が見ることのできる表面上の鏡像画像情報である。
再び、換言すれば、裏面で見える画像情報は、すべて表面で見える画像情報の水平鏡像画像情報である。
【００１５】
この特異な配置により、本発明の偽造防止文書の表面を見る人物又は入国管理職員には、例えば、偽造防止文書上又はその中の肖像としての通常のパスポート写真と、穿孔された写真としての同じパスポート写真とが同時に見える。
【００１６】
また、本発明の偽造防止文書の裏面を見る人物又は入国管理職員には、例えば、偽造防止文書上又はその中の肖像としての通常のパスポート写真と、穿孔された写真としての同じパスポート写真とが同時に見える。
【００１７】
しかし、裏面の２つの写真及び画像情報は、表面の写真及び画像情報と比較して鏡像反転される。
本発明を再び要約すれば、第一のセキュリティ特徴物の穿孔パターンは、偽造防止文書に一度のみ適用され、表面及び裏面上で見ることができる。この穿孔パターンは、表面及び裏面上の第二のセキュリティ特徴物のパターンにそれぞれ対応し且つマッチする。
【００１８】
したがって、穿孔パターンを有し、表面及び裏面から見える第一のセキュリティ特徴物が表面及び裏面の第二のセキュリティ特徴物のパターンにそれぞれ対応し且つマッチする場合、文書（例えば、パスポート）は、真正であると考えることができる。したがって、例えば、パスポートの模造は、極めて困難である。
【００１９】
第二のセキュリティ特徴物は、彫刻パターンであって、光が彫刻パターンに当たって反射するときに第二の画像情報を表示する彫刻パターンを含むことがさらに好ましい。
追加的又は代替的に、第二のセキュリティ特徴物は、インクジェット印刷パターンであって、光が印刷パターンに当たって反射するときに第二の画像情報を表示するインクジェット印刷パターンを含むことが好ましい。
【００２０】
追加的又は代替的に、第二のセキュリティ特徴物は、レーザ印刷パターンであって、光が印刷パターンに当たって反射するときに第二の画像情報を表示するレーザ印刷パターンを含むことも可能である。
【００２１】
さらに、裏面において、第二のセキュリティ特徴物によって表される第二の画像情報は、第一のセキュリティ特徴物によって表される第一の画像情報と同一であることが有利である。したがって、情報的内容に違いがない。
【００２２】
好ましくは、裏面において、対応するセキュリティ特徴物の第一及び第二の画像情報は、一致する。これにより、例えば、パスポートは、そのパスポートの写真並びに第一及び第二の画像情報が裏面で同一の画像情報を示す場合にのみ真正であるため、模造に対する安全性が向上する。
【００２３】
さらなる利点として、この一致する配置は、偽造防止文書を光にかざして、第二の画像情報と整列及び整合する穿孔パターンを含む第一の画像情報をチェックすることによって容易に管理できる。
【００２４】
したがって、異なる方法において、すなわち穿孔及び彫刻又はレーザ印刷若しくはインクジェット印刷によって製作され、相互に重ねられ、一致する２つの写真は、同一の写真を偽造防止文書の同じ空間及び位置に、ただし２つの異なる方法で示す。
【００２５】
したがって、使用者及び人物には、一方では、彫刻又はレーザ印刷若しくはインクジェット印刷によって製作された反射された肖像と、他方では、穿孔によって製作された、光がそれを通過する肖像とが同時に見える。
【００２６】
表面において、第二のセキュリティ特徴物によって表される第二の画像情報は、裏面上の第二の画像情報に対応することも可能である。したがって、偽造防止文書上に作られる画像のすべては、同じもの及び同じ情報的内容を示す。
【００２７】
さらに、表面において、対応するセキュリティ特徴物の第一及び第二の画像情報は、一致することが可能である。これは、表面上の第二のセキュリティ特徴物の第二の画像情報と、第一のセキュリティ特徴物の第一の画像情報とが、整列及び整合するか、又は相互に重なり且つ一致することを意味する。
【００２８】
さらに、表面の第二の画像情報は、裏面の第二の画像情報及び偽造防止文書の第一の画像情報と一致することが好ましい。
したがって、偽造防止文書の表面及び裏面で見える第一のセキュリティ特徴物は、表面及び裏面に適用される第二のセキュリティ特徴物の第二の画像情報と整合し且つ一致する。
【００２９】
換言すれば、表面のパターンを有する第二の画像情報は、裏面のパターンを有する第二の画像情報と一致し、裏面の画像情報は、表面の鏡像画像情報であることが好ましい。穿孔パターンを有する第一の画像情報は、この画像情報及びパターンが表面及び裏面の第二の画像情報と一致し且つ整合するように製作されることも好ましい。
【００３０】
したがって、３つの画像情報が一致し、すなわち、これらは、表面及び裏面の第二のセキュリティ特徴物の２つの画像情報並びに偽造防止文書内のパターン付きの画像情報であり、第二のセキュリティ特徴物の画像情報は、表面又は裏面でのみ見え、パターン付きの画像情報は、表面及び裏面で見える。
【００３１】
さらなる利点として、表面の第二の画像情報は、文書上において、裏面の第二の画像情報より大きい又は小さいサイズを含む。したがって、画像情報は、表面において、裏面と比較して拡大でき、それにより、偽造防止文書は、例えば、偽造防止文書上に示されている人物と容易に比較できる。
【００３２】
好ましくは、裏面の第二の画像情報のサイズ及び第一の画像情報のサイズは、同一である。これにより、偽造防止文書の２つの画像情報を比較しやすい。
さらに、表面は、第一の印刷技術のパターンを有する第二のセキュリティ特徴物を含み、好ましくは、裏面は、第二の印刷技術のパターンを有する第二のセキュリティ特徴物を含むことが有利である。
【００３３】
これに関して、第一及び第二の印刷技術は、相互に異なることが好ましい。好ましくは、第一の印刷技術は、レーザ彫刻、インクジェット印刷又はレーザ印刷を含み、及び有利には、第二の印刷技術は、レーザ彫刻、インクジェット印刷又はレーザ印刷を含む。
【００３４】
したがって、第一の印刷技術は、レーザ彫刻を含み、及び第二の印刷技術は、インクジェット印刷又はレーザ印刷を含むことが可能である。
さらに、第二のセキュリティ特徴物のパターンは、光がパターンに当たって反射するときに第二の画像情報を表示することが好ましい。
【００３５】
偽造防止文書は、明るい背景に対して見られたときに第一の画像情報を表示する穿孔パターンを有する第一のセキュリティ特徴物を含むことも好ましい。
好ましくは、偽造防止文書は、表面上に第一の印刷技術によって製作される第二の画像情報及び裏面上に第二の印刷技術によって製作される第二の画像情報も含む。
【００３６】
有利には、第二の画像情報は、第一の画像情報に対応し、及び裏面の第二の画像情報は、表面の第二の画像情報のミラー画像情報である。
上記を要約すると、偽造防止文書は、
表面は、パターンであって、光がパターンに当たって反射するときに第二の画像情報を表示するパターンを有する第二のセキュリティ特徴物を含み、
好ましくは、裏面は、パターンであって、光がパターンに当たって反射するときに第二の画像情報を表示するパターンを有する第二のセキュリティ特徴物を含み、
好ましくは、偽造防止文書は、明るい背景に対して見られたときに第一の画像情報を表示する穿孔パターンを有する第一のセキュリティ特徴物を含み、
好ましくは、表面及び裏面の第二の画像情報は、第一の画像情報に対応し、及び
好ましくは、裏面の第二の画像情報は、表面の第二の画像情報のミラー画像情報であることを特徴とすることが好ましい。
【００３７】
しかしながら、第一のセキュリティ特徴物は、その穿孔を有する偽造防止文書を部分的に且つ／又は完全に貫通することから、裏面で見える第一の画像情報は、表面で見える第一の画像情報の鏡像画像情報である。
【００３８】
したがって、ある人物が見ることのできる裏面の画像情報（第一及び第二の画像情報）は、すべて同じくある人物が見ることのできる表面の鏡像画像情報（第一及び第二の画像情報）である。
【００３９】
本発明の他の態様によれば、好ましくは、穿孔パターン及び第一の画像情報は、それぞれ彫刻及び彫刻パターン又はレーザ印刷及びレーザ印刷パターン等若しくはインクジェット印刷及びインクジェット印刷パターン等、異なる技術によって文書上に配置された画像の表現及び第二の画像情報である。
【００４０】
画像（第二の画像情報）と穿孔（第一の画像情報）とを視覚的に比較でき、したがって複雑な補助手段が不要であることから、これらの２つの一方のみの不完全な偽造は、直ちにわかることになる。不正行為に対する高い安全性がこのようにして得られる。
【００４１】
この方法には、好ましくは、このような文書を作成するために、穿孔パターン（第一の画像情報）を製作するための本手段と、異なる技術による関連する画像を製作するための手段又はテンプレートを記録し、それをデジタル形態に変換して、穿孔パターンを製作するのに必要な手段を制御できるようにする手段とがなければならないことが必要となる。
【００４２】
本発明の重要な応用は、文書がパスポートであり、テンプレートがパスポート写真であることにある。
有利には、偽造から保護される文書は、穿孔パターンの形態の第一のセキュリティ特徴物を含み、穿孔パターンは、偽造防止文書の外面上に延び、明るさの階調を含む画像を表す。
【００４３】
画像及び第一の画像情報は、文書が背後から照明されたときに見えることも好ましい。
有利には、穿孔パターン及び第一の画像情報は、レーザ光によって適用される。
好ましくは、穿孔パターンは、異なる技術によって文書に配置される第二の画像情報及び画像の表現であり、好ましくは、異なる技術によって配置される第二の画像情報は、文書ごとに異なる。
【００４４】
文書は、パスポートであり、第二の画像情報は、パスポート写真であることがさらに好ましく、好ましくは、第一のセキュリティ特徴物は、パスポート写真が配置されるページ以外のパスポートのページに適用される。代替的に、文書は、パスポートであり、第二の画像情報は、パスポート写真であり、好ましくは、第一のセキュリティ特徴物は、パスポート写真が配置されるパスポートの表面又は裏面に適用されることが可能である。
【００４５】
さらなる利点として、第一の画像情報の明るさの階調は、穿孔のサイズによって表される。
さらに、明るさの階調は、穿孔の密度によって表されることが有利である。
【００４６】
明るい階調は、大きい穿孔又は穿孔の高い密度によって表され、暗い階調は、小さい穿孔又は穿孔の低い密度によって表されることも好ましい。
本発明は、好ましくは、文書に穿孔パターンの形態のセキュリティ特徴物を適用する方法にも関することが指摘される。
【００４７】
より詳細には、文書に穿孔パターンの形態の第一のセキュリティ特徴物を適用する方法は、穿孔パターンが、文書に穿孔パターンを連続的に適用するように適応されたレーザ装置によって適用され、穿孔のサイズ又は穿孔の密度が画像の電子表現によって制御されることを含むことが好ましい。
【００４８】
文書は、パスポートであり、穿孔パターン及び第一の画像情報は、パスポートに適用され、これは、パスポートに配置されるパスポート写真の表現であることも好ましい。
有利には、パスポート写真及び画像情報は、光電子機器によってデジタル形態に変換され、穿孔パターン及び第一の画像情報は、パスポート写真のデジタル再生に基づいて適用される。
【００４９】
これに関して、パスポート写真は、光電子機器によってデジタル形態に変換され、穿孔パターン及び第一の画像情報は、彫刻パターンであって、光が彫刻パターンに当たって反射するときに第二の画像情報を表示する彫刻パターンを含む第二のセキュリティ特徴物を含むパスポート写真のデジタル再生に基づいて適用されることも可能である。彫刻パターンの代替案として、インクジェット印刷パターンを第二のセキュリティ特徴物として使用するか、又はレーザ印刷パターンを第二のセキュリティ特徴物として使用することも可能である。
【００５０】
さらに、本発明は、好ましくは、上述のような方法を実行する機器にも関する。
本発明の別の態様によれば、偽造防止文書は、明るい背景に対して見られたときにグレイトーンを表示する穿孔パターンの形態の第一のセキュリティ特徴物を含む。
【００５１】
好ましくは、偽造防止文書は、光を限定的に透過させる材料から製造され、好ましくは、穿孔は、穿孔の位置における文書の厚さの一部のみにわたって延び、好ましくは、穿孔の位置における文書の残りの部分の厚さは、表示される画像及び画像情報に従って調整される。
【００５２】
この対策により、さらに困難さが増し、すなわち、穿孔のグレイトーンを表示する決定要素及びそれと共に画像情報は、文書の残りの部分の厚さによって決まる。これは、不連続の穿孔の深さを非常に精密に特定しなければならないことを意味する。結果的な厚さは、最終的に、２つのより大きい値、すなわち文書全体の厚さと穿孔の深さとの間の差である。
【００５３】
穿孔及び第一の画像情報は、偽造防止文書に表面及び／又は裏面から適用されることが有利である。この構成により、例えば第一及び第二の画像情報を表面又は裏面に同じレーザ機器で容易に書き込むことが可能である。
【００５４】
有利には、穿孔は、文書及び偽造防止文書の主平面に対して、９０°と異なる角度で延びる。これは、穿孔が超小型ドリルでも配置できず、レーザを利用しなければならないという結果を含み、これは、一方で多大な投資を必要とし、他方で高い技術的知識を必要とする。
【００５５】
好ましくは、穿孔の角度は、濃淡値調整を有する画像情報を取得するように調整される。
さらなる利点として、古典的な直線穿孔の場合のように、第一の画像情報を生成するために第一のセキュリティ特徴物の穿孔の密度又はサイズ及び直径を調整する可能性がある。
【００５６】
有利には、穿孔及び第一の画像情報は、好ましくは、画像を表す。
好ましくは、パターン及び第二の画像情報は、画像、肖像、写真又はパスポート写真を表す。これらの項目（画像、肖像、写真、パスポート写真）は、すべて同じ特徴物、すなわち「第二の画像情報」を指す。
【００５７】
本明細書において、穿孔によって配置される第一の画像情報は、ある程度の画像処理を施され得る点に留意されたい。ここで、必要な定量化のために失われる画像の特徴物を補償することが可能である。このような画像処理の一例は、「輪郭強調」である。
【００５８】
本発明は、画像を表さず、英数字による表現又はコードを表す穿孔パターンにも適用可能である。
これらの可能性の組合せが適用され得ることは、明らかであろう。このような斜めの穿孔は、当然のことながら、通常の直線穿孔と組み合わせることができる。この組合せにより、追加的なパターンを導入する選択肢が得られる。グレイトーンを表示するために調整される主要画像は、例えば、本願において直線穿孔によって配置され、例えば、ロゴ又は文字の形態の追加の特徴物は、斜めに配置される。斜めの穿孔の角度又は他の特性の選択は、約９０°の角度でのパターンの通常の観察中に通常の画像が現れ、他の角度での観察中にロゴ又は文字の組合せの形態の第二の画像が見えるように行うことができる。
【００５９】
他の例は、２つの画像をキャリア上の同じ位置に、ただし各眼に独自の画像が見えるように異なる角度で配置し、したがって立体画像が観察されるようにすることである。
好ましくは、これは、様々な方法で変化され得ることが明らかであろう。本願において、保護される文書に２つの位置からレーザ源によって照射する方法を利用することが魅力的である。
【００６０】
当然のことながら、本願では、２つのレーザ源を使用することも可能であるが、当然のことながら、最初に第一の位置の文書に１つのレーザ源によって第一の角度で照射し、その後、文書を異なる位置に置いて、同じレーザ源によって異なる角度で照射することがより容易である。
【００６１】
レーザ源が文書の付近に置かれる場合、９０°以外の角度に穿孔を配置することも可能であり、これは、円錐又はピラミッド形状によって実現され、その内部でレーザ光ビームを移動させることによって穿孔が配置される。したがって、その結果、画像の中心までの距離が増大するにつれて角度が増大するパターンが得られる。
【００６２】
穿孔の横断面は、非円形であることが好ましい。レーザ源の使用により、レーザスポットの位置が正確に制御される場合、このような穿孔を行うことができる。何れの場合にも、必要なパターンの微細さを考えれば、これを機械的手段で得ることは、現実的に不可能である。
【００６３】
さらに、コードを画像の表現内に隠すことが有利である。本願では、すでにグラフィックアートで適用されている教示を使用でき、それによれば、通常の眼には見えず、表示されるコードに特定の処理を行った後に得られる変化を画像内に配置することが可能となる。
【００６４】
逆に、直接見えるコード化も選択され得る。コードは、例えば、関係する製品が作られた機械を識別するために使用できる。したがって、機械の不正な使用があった場合、関係する機械を識別できる。
【００６５】
文書内に中間層を配置することも可能であり、この層は、インクで提供される。レーザの使用により、その文書の製造材料を完全に除去し、すなわち燃焼、蒸発等させることが可能となる。文書内の関係する層の汚染は、本願ではほとんど発生しない。このような文書が機械的手段で処理されると、ある程度のスミアリングが発生する。このスミアリングは、インクがＵＶ光感受性インクによって形成されると特によく見える。
【００６６】
有利には、このインクは、ＵＶ光において見えるインクである。
材料は、穿孔内に配置されることが好ましい。
キャリアにおいて、画像を表すパターンで配置される穿孔は、ＵＶ光下で光るインクを充填されることも好ましい。このようなパターンは、ＵＶ光源で照明されると見えるようになる。
【００６７】
好ましくは、このようなパターンの穿孔の内面は、例えば、反射金属層の蒸着によって層を提供され、その結果、見たときに見える画像が得られる。すべての穿孔の内面に層を選択的に適用することは、穿孔が配置される前に除去可能なフォイルを配置し、前記層が適用された後にそれを除去することによって可能となる。
【００６８】
好ましくは、偽造防止文書は、異なって着色された材料層を含み、色は、穿孔の深さに応じて見ることができる。
有利には、開始点は、異なる色の材料層で構築されたキャリアである。深さを変化させることにより、所望の層で終わり、それにより所望の色が見えるように穿孔を作ることができる。このようにしてカラー画像を実現できる。
【００６９】
さらなる利点として、偽造防止文書は、プラスチック材料から製造され、及びコア層は、他の層と異なる色を有する。
好ましくは、穿孔パターンは、密度又はサイズにおいて調整された穿孔をさらに提供される。
【００７０】
穿孔パターンは、穿孔パターンの残りの部分と異なる穿孔パターンを局所的に提供されることも可能である。
さらなる利点として、穿孔パターンは、見ている位置から観察者に対して立体画像を提示するように適応される。
【００７１】
穿孔パターンは、見る角度によって異なる画像を人物及び使用者に対して提示するように適応されることが好ましい。
有利には、文書の主平面に対する穿孔の角度は、穿孔パターンの中心までの距離が増大するにつれて増大する。
【００７２】
好ましくは、穿孔パターンのその横断面は、非円形である。
有利には、コードは、画像の表現内に隠される。
好ましくは、インクの中間層は、キャリア内に配置される。有利には、インクは、ＵＶ光において見えるインクである。
【００７３】
穿孔は、キャリア上に取り付けられた保護要素、例えば光学的可変要素内に配置されることが好ましい。
さらに、画像は、個人化されることが有利である。
【００７４】
本発明は、キャリア上に取り付けられた保護要素、例えばホログラム又はキネグラム等の光学可変要素内に穿孔を配置する選択肢をさらに提供する。このようなセキュリティ特徴物は、偽造者にはアクセスできず、それは、これらが１つの製造者と１つの購買者との間でのみ取引されるからである。このようなセキュリティ特徴物に個人化された穿孔パターンをさらに提供することにより、偽造者は、このような要素を１つの文書から他の文書に転写することもできなくなる。
【００７５】
穿孔パターンによって表される画像が、文書上に配置された他の画像に対応する場合、画像を一致させることができる。これにより、両方の画像を精密に一致させる選択肢が提供される。これには、利点があり、すなわち偽造者及び不正行為者にとっての問題が増大すること、検証がはるかに迅速且つ容易になること、穿孔画像のための余分な表面積が不要であることである。
【００７６】
本発明は、好ましくは、偽造防止文書に穿孔パターンを配置する方法にも関し、好ましくは、穿孔は、レーザによって配置されることが指摘される。
これに関して、偽造防止文書は、レーザ源によって少なくとも２つの異なる位置で処理されることが好ましい。
【００７７】
文書は、１つのレーザ源から１つの位置で処理されることも好ましい。
有利には、ある層がまず文書上に配置され、続いて穿孔が配置され、その後、文書に蒸着処理が行われ、最後にフォイルが除去される。
【００７８】
理解のために、「穿孔」、「穿孔パターン」、「穿孔された」及び「穿孔画像」等の用語は、すべて同一のもの、すなわち明るい背景に対して見られたときに第一の画像情報を表示する穿孔パターンを含む第一のセキュリティ特徴物を意味することに留意されたい。
【図面の簡単な説明】
【００７９】
【図１】本発明の偽造防止文書の表面の第二のセキュリティ特徴物を示す。
【図２】本発明の偽造防止文書の裏面の第二のセキュリティ特徴物を示す。
【図３】光が通過できるように保持された本発明の偽造防止文書の表面の第一及び第二のセキュリティ特徴物を示す。
【図４】光が通過できるように保持された本発明の偽造防止文書の裏面の第一及び第二のセキュリティ特徴物を示す。
【図５】本発明による偽造防止文書を製造する機器の概略斜視図を示す。
【図６】図５に示されるような穿孔パターンの詳細図を示す。
【図７】本発明によるパスポートの概略斜視図を示す。
【図８】本発明によるパターンが提供された紙幣の図を示す。
【図９】本発明の他の実施形態による穿孔パターンが提供された郵便切手を示す。
【図１０】本発明による偽造防止文書の実施形態の断面図を示す。
【図１１】本発明による偽造防止文書の実施形態の断面図を示す。
【図１２】本発明による偽造防止文書の実施形態の断面図を示す。
【図１３】本発明による偽造防止文書の実施形態の断面図を示す。
【図１４】本発明による偽造防止文書の実施形態の断面図を示す。
【図１５】本発明の実施形態の概略詳細斜視図を示す。
【図１６】本発明の実施形態の概略詳細斜視図を示す。
【図１７】その中で使用される方法を説明する役割も果たす、本発明の実施形態の断面図を示す。
【図１８】本発明の実施形態の断面図を示す。
【発明を実施するための形態】
【００８０】
以下では、本発明の幾つかの実施形態が図面に基づいて説明される。図面は、それぞれ後述の具体的な実施形態を示すことに留意されたく、説明において明示される別の代替的な変更は、少なくとも部分的に図示されていない。しかしながら、特に図５〜１８に示される特徴物は、図１〜４において説明する偽造防止文書と組み合わされ得る点を明確に指摘する。
【００８１】
さらに、図中で使用されている同じ参照符号は、同じ構成要素を示す。
図１において、本発明の偽造防止文書１の表面Ｆの第二のセキュリティ特徴物３が示されており、図２は、本発明の偽造防止文書１の裏面Ｂの第二のセキュリティ特徴物３を示す。
【００８２】
さらに、図３は、光が通過できるように保持された本発明の偽造防止文書１の表面Ｆの第一及び第二のセキュリティ特徴物２、３を示し、図４は、同じく光が通過できるように保持された本発明の偽造防止文書１の裏面Ｂの第一及び第二のセキュリティ特徴物２、３を示す。
【００８３】
以下において容易且つ簡潔にするために、図１〜４をまとめて説明する。
図１〜４は、表面Ｆ（図１及び３）と裏面（図２及び４）とを有する偽造防止文書１を示す。
【００８４】
偽造防止文書１は、明るい背景に対して見られたときに第一の画像情報を表示する穿孔パターン４を含む第一のセキュリティ特徴物２と、彫刻パターン５であって、光が彫刻パターン５に当たって反射するときに第二の画像情報を表示する彫刻パターン５を含む第二のセキュリティ特徴物３とを有する。
【００８５】
第一及び第二のセキュリティ特徴物２、３は、それぞれ人物の画像及びパスポート写真を表すことに留意されたい。
彫刻パターンの代わりに、第二のセキュリティ特徴物としてインクジェット印刷パターンを使用すること又は第二のセキュリティ特徴物としてレーザ印刷パターンを使用することも可能である点にも留意されたい。
【００８６】
さらに、図１〜４から容易にわかるように、偽造防止文書１上に表示される第一及び第二の画像情報４、５は、相互に対応する。
さらに、表面Ｆ及び裏面Ｂは、第二のセキュリティ特徴物３を含み、裏面Ｂの第二の画像情報５は、表面Ｆの第二の画像情報５の鏡像画像情報である。
【００８７】
換言すれば、裏面Ｂで見ることのできる第一及び第二の画像情報４、５は、すべて表面Ｆ上で見ることのできる第一及び第二の画像情報４、５の水平に鏡像反転された画像情報である（図３及び４を参照されたい）。
【００８８】
さらに、表面Ｆでは、第二のセキュリティ特徴物３によって表される第二の画像情報５は、裏面Ｂの第二の画像情報５に対応する。
さらに、裏面Ｂでは、第二のセキュリティ特徴物３によって表される第二の画像情報５は、第一のセキュリティ特徴物２によって表される第一の画像情報４と同一である（図４を参照されたい）。
【００８９】
また、裏面Ｂでは、対応するセキュリティ特徴物２、３の第一及び第二の画像情報４、５は、図２及び４を比較するとわかるように一致する。
同じく図１〜４からわかるように、表面Ｆの第二の画像情報５は、文書１上で裏面Ｂの第二の画像情報５より大きいサイズを有し、裏面Ｂの第二の画像情報５のサイズ及び第一の画像情報４のサイズは、同一である（図４を参照されたい）。
【００９０】
上記を要約する。図１〜４においてわかるように、偽造防止文書の表面Ｆは、彫刻パターン５であって、光が彫刻パターンに当たって反射するときに第二の画像情報を表示する彫刻パターン５を有する第二のセキュリティ特徴物３を含む。
【００９１】
裏面Ｂは、彫刻パターン５であって、光が彫刻パターン５に当たって反射するときに第二の画像情報を表示する彫刻パターン５を有する第二のセキュリティ特徴物３を含む。
さらに、偽造防止文書１は、すでに述べたように、明るい背景に対して見られたときに第一の画像情報４を表示する穿孔パターンを有する第一のセキュリティ特徴物２を含み、表面及び裏面Ｆ、Ｂの第二の画像情報５は、第一の画像情報４に対応する。
【００９２】
さらに、裏面Ｂの第二の画像情報５は、表面Ｆの第二の画像情報５のミラー画像情報である。
図１〜４のすべてを参照する。これらの図面は、穿孔パターンの形態の第一のセキュリティ特徴物２は、明るい背景に対して見られたときにグレイトーンを表示することを示す。
【００９３】
偽造防止文書１は、光を限定的に透過させる材料から製造され、穿孔パターンの一部を形成する穿孔の幾つかは、穿孔の位置における文書１の厚さの一部のみにわたって延びる。
【００９４】
したがって、穿孔の位置における文書１の残りの部分の厚さは、表示される画像に従って調整される。
異なるグレイトーンを実現するために、第一のセキュリティ特徴物２の穿孔の密度及び／又は直径を調整することによって第一の画像情報が生成される。これらの異なるグレイトーンの実現を説明する実施形態を以下に説明する。
【００９５】
前述のように、第一のセキュリティ特徴物２は、明るい背景に対して見られたときに第一の画像情報を表示する穿孔パターン４を含み、第二のセキュリティ特徴物３は、彫刻パターン５であって、光が彫刻パターン５に当たって反射するときに第二の画像情報を表示する彫刻パターン５を含む。
【００９６】
しかしながら、偽造防止文書１の表面Ｆは、第一の印刷技術のパターンを有する第二のセキュリティ特徴物３を含み、裏面Ｂは、第二の印刷技術のパターンを有する第二のセキュリティ特徴物３を含むことも可能である。
【００９７】
このような実施形態において、第一及び第二の印刷技術は、相互に異なる。これは、第一及び第二の印刷技術がレーザ彫刻、インクジェット印刷又はレーザ印刷を含み、この特別な実施形態では、第一の印刷技術がレーザ彫刻を含み、第二の印刷技術がインクジェット印刷又はレーザ印刷を含むことを意味する。換言すれば、第二のセキュリティ特徴物のパターンは、光がパターンに当たって反射するときに第二の画像情報を表示する。
【００９８】
さらに、表面Ｆ上及び裏面Ｂ上の第二のセキュリティ特徴物３のために２種類の印刷技術を用いるこの特別な実施形態において、第一の印刷技術によって製作される第二の画像情報５は、表面Ｆ上に適用され、第二の印刷技術によって製作される第二の画像情報５は、裏面Ｂ上に適用される。
【００９９】
さらに、第二の画像情報５は、第一の画像情報４に対応し、裏面Ｂの第二の画像情報５は、表面Ｆの第二の画像情報５のミラー画像情報である。
ここで、図５〜９を参照する。
【０１００】
図５〜９に示される技術を説明する前に、この技術では、明るさの階調を生じさせることは、グラフィックアートの場合のように、固定されたグリッドに従って適用される穿孔によって可能であり、穿孔のサイズは、強度の尺度であり、等しい寸法の穿孔の穴を使用することによって明るさの階調を再現することも可能であり、これらの寸法の密度は、強度の尺度であることが指摘される。原則的に、両方の選択肢を組み合わせることもできる。
【０１０１】
ここで、グラフィックアートにおいて、第一の選択肢は、白黒写真が新聞で複製される方法と等しいことと、第二の技術の例は、女王陛下の肖像が、密度の異なるドットで表されるオランダの郵便切手シリーズに見ることができることとが指摘される。
【０１０２】
図５には、パスポート写真１１に向けられたビデオカメラ１０が示されている。ビデオカメラ１０は、パスポート写真１１を記録し、それを電子形態に変換し、このようにして得られた信号をコンピュータ１２に供給し、信号は、その中に保存される。
【０１０３】
図５に示される機器は、レーザビーム発生手段１３をさらに含み、これは、コンピュータ１２によって制御される。この制御は、レーザ機器１３によって伝送されるレーザビーム１４の強度及び焦合だけでなく、レーザビーム１４が伝送される方向にも関係する。この方向を２つの平面内で変化させて、穿孔パターン１６及び第一のセキュリティ情報を文書１５に適用することが可能である。
【０１０４】
ここで、このようなレーザ機器は、先行技術で知られていることが指摘され、すなわち、レーザ光ビームを変化させるために、本願では、図５において他に図示されていないミラーシステムが利用される。レーザ機器１３を静止させて、文書１５を載せたキャリアを移動するようにセットすることも可能である。キャリアを一方向に移動させて、レーザビームをもう一方の方向に移動させることも可能であり、様々な可能性の中から何れを選択するかは、使用される技術に依存する。しかしながら、重要であるのは、穿孔パターン１６及び第一のセキュリティ情報が異なる直径の穿孔を含むことであり、直径は、画像内で表現される明るさに応じたものである。レーザビームで局所的により多くの又はより少ない穴を発生させることにより、異なる密度の穿孔も製作できる。
【０１０５】
これは、穿孔パターン１６の詳細を示す図６によって明瞭に示されている。ここで、本実施形態では、穿孔パターンは、例えば、長方形のグリッド等の規則的グリッド内に整列される穿孔１７によって形成されることがわかる。
【０１０６】
穴の寸法は、本願では、穿孔パターン１６によって表される画像、この場合にはパスポート写真１１の明るさの尺度である。ここで、穿孔の寸法は、連続的に、すなわち基本的にアナログ方式で調節できる点に留意されたいが、デジタルコンピュータで処理すれば、有限であるが、依然として多くのステージを得ることができる。それにもかかわらず、試験の結果、関係する画像の適切なレンダリングを形成し、それと容易に比較できる画像の表現を取得できることが証明されている。このようにすれば、複写が困難である良好な認証特徴物が得られることが明らかであろう。
【０１０７】
図７には、写真１１が例えば接着剤、管リベット又は他の取付け方法によって固定されているパスポート１８が示されている。同じページのその付近に、関係する画像を表す穿孔パターン１６が適用されている。パスポートの関係するページを光に当てればよく比較できる。迅速に目で見て比較することができるのであれば、パスポートの別のページに穿孔パターンを適用することも他に可能である。これにより、偽造がより困難となり、これは、その目的のために少なくとも２つの異なるページを偽造しなければならないからである。拡大、縮小又は他に調整した画像を適用することも可能である。
【０１０８】
図８は、この場合にはフクロウの形態の穿孔パターン２０が提供された紙幣１９を示す。この穿孔パターンは、その紙幣上に配置された他の画像とは無関係であり、セキュリティ特徴物自体のみを形成しており、紙幣にこのようなセキュリティ特徴物を提供することが可能である。先行技術との違いは、画像２０が、異なる明るさの階調、例えばグレイトーンを表わすという事実にあることが再び指摘される。本願では、自由グリッドが他に使用され、穿孔の寸法が同じであり、穿孔の密度を変化させることによってグレイトーンが表現される。同じことは、図９に示される郵便切手２１にも当てはまり、これには女王陛下の肖像の形態の穿孔パターン２２が提供され、ここで、両方の形態が組み合わせられ、すなわち変化するグリッドとされ、その場合、穿孔の寸法も異なる。
【０１０９】
再び、図５〜９の説明は、図１〜４に示される第一のセキュリティ特徴物２にも当てはめることができる点が指摘される。
したがって、図５〜９の上述の特徴物の幾つか又は全部は、図１〜４に示される実施形態に組み込まれ得る。
【０１１０】
ここで、図１０〜１７を参照する。
図１０は、偽造防止文書１の断面図を示す。文書１は、プラスチックから製造されているが、他の材料、例えば紙、布等でも同様に製造でき、積層材料からも製造でき、様々な材料の種類を組み合わせることができる。
【０１１１】
この文書１には、穿孔が提供される。図１０では、穿孔３２が配置されている。本発明のこの実施形態において、穿孔３２は、文書１の厚さ全体を通して延びるのではなく、文書１の一部３３がそのまま残される。
【０１１２】
様々な穿孔の残りの部分３３は、本願において、異なる厚さを有する。したがって、これらは、光をより多く又はより少なく透過させ、文書を光に対してかざすと、残りの部分３３の厚さ及び穿孔３２の深さに応じたグレイトーンを含む画像が得られる。
【０１１３】
図１１に示される実施形態によれば、穿孔は、文書の主平面に対して斜めに、すなわち９０°以外の角度で配置される。本願では、関係する角度を変化させることにより、グレイトーンの調整を得ることができる。これは、図１１における一点鎖線で説明されている。
【０１１４】
さらに、図１２に示されるように、穴３４の幅、すなわち直径を変化させることも可能である。当然のことながら、ここで、両方の形態の変更を組み合わせることが可能である。さらに、２つの変更形態の一方又は両方を穿孔の密度の調整と組み合わせることも可能である。当然のことながら、調整方法のこれらの組合せに所定の特性を付与することが可能である。その例が図１３に示されている。
【０１１５】
文書が、図１２の一点鎖線で示されるように直線に見られた場合、ここで、穿孔の各々について同様のグレイトーンが表示される。
このグレイトーンは、穿孔の密度を変化させるか又はそのサイズを変化させることによって調整することができる。ここで、本発明によれば、画像を生成することが可能である。両方の穿孔３４が斜めに配置されていることにより、これらの穿孔に例えばこれらを文字又はロゴの形態で配置することにより、追加の情報を提供することが可能である。これは、当然のことながら、画像を所定の角度で見たときにのみ見える。
【０１１６】
図１４に示される実施形態において、円錐の形態又は円錐台の形態の穿孔が何れの場合にも得られる。目に見えるグレイトーンの調整は、ここで、円錐の「深さ」又はその頂角を変化させることによって得られる。したがって、これは、穴の深さの調整と、孔の直径の調整との組合せを形成する。先行４０は、したがって、例えば連続しており、穿孔４１は、止まり穴である。
【０１１７】
さらに、図１５に示されるように、円以外の形態、例えば長方形３６の穿孔を配置することが可能である。長方形の穿孔は、機械的手段で取得しにくい可能性があるため、この目的のためにレーザが必要である。レーザビームは、最終的に、それがこのような輪郭の穿孔を生じさせるように制御され得るが、焦合が十分に微細に行われることが条件となる。他の形状、例えば三角形、正方形、楕円形等も可能であることが明らかであろう。
【０１１８】
図１６は、この文書にインクで提供される層３７が提供される構成を示す。この層は、穿孔がレーザで配置される場合に特に認識されず、この層もレーザによって除去される。穿孔を有するこのような文書を機械的手段、例えばドリルによって提供しようとすると、インクが滲み、それは、明確に目に見える。このような構成は、積層カードにも適用され得、その内層は、他の層の色と異なる色を有し、例えば白である。
【０１１９】
図１７は、同じレーザ光源３８を用いて、同じ文書１の異なる位置において、直線の穿孔３５と、その後、斜めの穿孔３４とを提供することがどのように可能であるかを示す。当然のことながら、ここで、レーザ源３８を出たレーザ光ビーム３９を十分に偏向できることが重要である。加えて、文書１の異なる位置における位置決めに求められる精度のために正確な停止等が必要である。文書を３カ所以上から穿孔できることが明らかであろう。
【０１２０】
最後に、図１８は、レーザ光源３８が文書１に比較的近い位置に設置されて、角度の偏差により、異なる角度で延びる穿孔が得られる実施形態を示す。さらに、本発明の範囲内で図の実施形態から多くの変更形態が可能であることが明らかであろう。
【０１２１】
再び、図１０〜１８の説明は、図１〜４に示される第一のセキュリティ特徴物２に当てはめることができる点が指摘される。
したがって、図１０〜１８の上述の特徴物の幾つか又は全部は、図１〜４に示される実施形態に組み込まれ得る。
【図１】
2021533013.tif 000003
【図２】
2021533013.tif 000004
【図３】
2021533013.tif 000005
【図４】
2021533013.tif 000006
【図５】
2021533013.tif 000007
【図６】
2021533013.tif 000008
【図７】
2021533013.tif 000009
【図８】
2021533013.tif 000010
【図９】
2021533013.tif 000011
【図１０】
2021533013.tif 000012
【図１１】
2021533013.tif 000013
【図１２】
2021533013.tif 000014
【図１３】
2021533013.tif 000015
【図１４】
2021533013.tif 000016
【図１５】
2021533013.tif 000017
【図１６】
2021533013.tif 000018
【図１７】
2021533013.tif 000019
【図１８】
2021533013.tif 000020
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
表面と、
裏面と、
明るい背景に対して見られたときに第一の画像情報を表示する穿孔パターンを含む第一のセキュリティ特徴物と、
前記表面及び前記裏面の各々に位置する第二のセキュリティ特徴物であって、前記表面及び前記裏面の各々の前記第二のセキュリティ特徴物は、第二の画像情報を表示するパターンを含む、第二のセキュリティ特徴物と
を備える偽造防止文書であって、
前記表面及び前記裏面の各々の前記第二のセキュリティ特徴物及び前記第一の画像情報は、相互に対応し、
前記裏面の前記第二の画像情報は、前記表面の前記第二の画像情報の鏡像画像情報である、偽造防止文書。
【請求項２】
前記表面の前記第二のセキュリティ特徴物は、彫刻パターン、インクジェット印刷パターン、及びレーザ印刷パターンのうち少なくとも１つを含み、
前記裏面の前記第二のセキュリティ特徴物は、彫刻パターン、インクジェット印刷パターン、及びレーザ印刷パターンのうち少なくとも１つを含む、請求項１に記載の偽造防止文書。
【請求項３】
前記第一の画像情報及び前記裏面の前記第二の画像情報は一致する、請求項１又は２に記載の偽造防止文書。
【請求項４】
前記表面の前記第二の画像情報は、前記裏面の前記第二の画像情報及び前記第一の画像情報と一致する、請求項１〜３の何れか一項に記載の偽造防止文書。
【請求項５】
前記表面の前記第二の画像情報は、前記文書上において、前記裏面の前記第二の画像情報より大きいサイズ又は小さいサイズを含む、請求項１〜４の何れか一項に記載の偽造防止文書。
【請求項６】
前記表面の前記第二の画像情報のパターンは、第一の印刷技術によって製作され、
前記裏面の前記第二の画像情報のパターンは、第二の印刷技術によって製作される、請求項１〜５の何れか一項に記載の偽造防止文書。
【請求項７】
前記第一及び第二の印刷技術は、相互に異なり、
前記第一の印刷技術は、レーザ彫刻、インクジェット印刷又はレーザ印刷を含み、
前記第二の印刷技術は、レーザ彫刻、インクジェット印刷又はレーザ印刷を含む、請求項６に記載の偽造防止文書。
【請求項８】
前記穿孔パターンを形成する少なくとも幾つかの穿孔は、前記文書の厚さの一部のみにわたって延び、前記少なくとも幾つかの穿孔の各々の位置における前記文書の残りの部分の厚さは、前記第一の画像情報に従って調整される、請求項１〜７の何れか一項に記載の偽造防止文書。
【請求項９】
前記穿孔パターンを形成する少なくとも幾つかの穿孔は、前記文書の主平面に対して、９０°とは異なる角度で延び、
前記少なくとも幾つかの穿孔の前記角度は、前記第一の画像情報の濃淡値調整を行うべく調整される、請求項１〜８の何れか一項に記載の偽造防止文書。
【請求項１０】
材料が、前記第一のセキュリティ特徴物の前記穿孔パターンの少なくとも幾つかの穿孔内に配置され、
前記材料は、ＵＶ光下で光るインク及び蒸着された金属のうち少なくとも１つである、請求項１〜９の何れか一項に記載の偽造防止文書。
【請求項１１】
前記偽造防止文書は、異なって着色された材料層を含み、前記穿孔パターンの各穿孔について、前記穿孔の深さに応じた色が見える、請求項１〜１０の何れか一項に記載の偽造防止文書。
【請求項１２】
前記穿孔パターンを形成する少なくとも幾つかの穿孔に関する穿孔の密度及び穿孔の直径のうち少なくとも１つは、前記第一の画像情報を生成するために調整される、請求項１〜１１の何れか一項に記載の偽造防止文書。
【請求項１３】
前記文書は、プラスチック積層体から製造され、前記プラスチック積層体のコア層は、前記プラスチック積層体の少なくとも他の層と異なる色を有する、請求項１〜１２の何れか一項に記載の偽造防止文書。
【請求項１４】
前記裏面の前記第二の画像情報のサイズと前記第一の画像情報のサイズとは同一である、請求項１〜１３の何れか一項に記載の偽造防止文書。
【請求項１５】
前記第一のセキュリティ特徴物の前記穿孔パターンは、見る角度によって異なる画像を提示するように構成されている、請求項１〜１４の何れか一項に記載の偽造防止文書。
【請求項１６】
前記穿孔パターンの少なくとも１つの穿孔の横断面は、非円形である、請求項１〜１５の何れか一項に記載の偽造防止文書。
【請求項１７】
前記第一の印刷技術は、レーザ彫刻を含み、前記第二の印刷技術は、インクジェット印刷又はレーザ印刷を含む、請求項７に記載の偽造防止文書。
【請求項１８】
第一の面と、
第二の面と、
前記第一の面に位置する第一のセキュリティ特徴物であって、第一の画像情報を表示するパターンを含む第一のセキュリティ特徴物と、
前記第二の面に位置する第二のセキュリティ特徴物であって、第二の画像情報を表示するパターンを含む第二のセキュリティ特徴物と
を備え、
前記第二の画像情報は、前記第一の画像情報の鏡像画像情報である、偽造防止文書。
【請求項１９】
前記第一のセキュリティ特徴物の前記のパターン又は前記第二のセキュリティ特徴物の前記パターンは、明るい背景に対して見られたときに前記第一の画像情報又は前記第二の画像情報をそれぞれ表示する穿孔パターンを含む、請求項１８に記載の偽造防止文書。
【請求項２０】
偽造防止文書の製造方法であって、
前記文書の第一の面に第一のセキュリティ特徴物を形成することであって、前記第一のセキュリティ特徴物は第一の画像情報を表示するパターンを含むことと、
前記文書の第二の面に第二のセキュリティ特徴物を形成することであって、前記第二のセキュリティ特徴物は第二の画像情報を表示するパターンを含むことと
を備え、
前記第二の画像情報は、前記第一の画像情報の鏡像画像情報である、偽造防止文書の製造方法。
【手続補正３】
【補正対象書類名】明細書
【補正対象項目名】０００１
【補正方法】変更
【補正の内容】
【０００１】
本発明は、偽造防止文書及びその製造方法に関する。
【国際調査報告】
2021533013.tif 000021
2021533013.tif 000022
2021533013.tif 000023
2021533013.tif 000024